【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
画像内の特定の被写体の位置と大きさに基づいて、前記画像のうちの一部の領域であり、該特定の被写体の大きさよりも大きい領域である第１の領域を設定する第１の設定手段と、
前記第１の領域が、前記画像の範囲に収まるか否かを判定する第１の判定手段と、
前記第１の領域が前記画像の範囲に収まらない場合に、前記第１の領域の位置を前記画像の範囲に収まるように移動した第２の領域を設定する第２の設定手段と、
前記第２の領域に、前記特定の被写体が収まるか否かを判定する第２の判定手段と、
前記第２の判定手段により、前記第２の領域に前記特定の被写体が収まらないと判定した場合、前記特定の被写体には関わらない条件にて、前記画像のうちの一部の領域である第３の領域を設定する第３の設定手段と、
前記画像のうち、前記第３の設定手段で設定された前記第３の領域を処理対象領域として所定の処理を施す処理手段と
を有することを特徴とする画像処理装置。
【請求項２】
画像内の特定の被写体の位置と大きさに基づいて決定される、前記画像のうちの一部の領域であり、該特定の被写体の大きさよりも大きい領域である第１の領域が、前記画像の範囲に収まる場合には前記第１の領域を処理対象領域に設定し、前記第１の領域が前記画像の範囲に収まらず、前記第１の領域の位置を前記画像の範囲に収まるように移動した第２の領域に前記特定の被写体が収まる場合には前記第２の領域を処理対象領域に設定し、前記第１の領域が前記画像の範囲に収まらず、かつ前記第２の領域に前記特定の被写体が収まらない場合には、前記画像のうちの一部の領域であり、前記特定の被写体の位置と大きさとは異なる条件に基づいて決定される第３の領域を処理対象領域に設定する設定手段と、
前記画像のうち、前記設定手段で設定された処理対象領域に対して所定の処理を施す処理手段と
を有することを特徴とする画像処理装置。
【請求項３】
前記処理手段が行う前記所定の処理は、前記処理対象領域の切り出し処理であることを特徴とする請求項１又は２に記載の画像処理装置。
【請求項４】
前記特定の被写体は、前記画像から検出された顔であることを特徴とする請求項１乃至３のいずれか１項に記載の画像処置装置。
【請求項５】
前記特定の被写体は、前記画像の属性情報によって示される被写体であることを特徴とする請求項１乃至３のいずれか１項に記載の画像処置装置。
【請求項６】
前記第１の領域は、前記特定の被写体の位置と大きさを表す領域に一定数を掛けた領域であることを特徴とする請求項１乃至５のいずれか１項に記載の画像処理装置。
【請求項７】
前記第２の領域は、前記第１の領域を縮小せずに、前記第１の領域を画像の内側に移動させた領域であることを特徴とする請求項１乃至６のいずれか１項に記載の画像処置装置。
【請求項８】
前記第２の領域に前記特定の被写体が収まる場合とは、前記第２の領域に一定の割合を掛けて縮小した領域に前記特定の被写体の中心点が収まっている場合であることを特徴とする請求項１乃至７のいずれか１項に記載の画像処理装置。
【請求項９】
前記処理対象領域は円形であることを特徴とする請求項１乃至８のいずれか１項に記載の画像処置装置。
【請求項１０】
前記第３の領域は、前記特定の被写体とは異なる被写体の位置と大きさに基づいて決定される領域であることを特徴とする請求項１乃至９のいずれか１項に記載の画像処理装置。
【請求項１１】
前記第３の領域は、前記画像の中央領域であることを特徴とする請求項１乃至９のいずれか１項に記載の画像処置装置。
【請求項１２】
前記画像が、撮影時に画像から検出される被写体に基づいてピント調整を行う機能を用いて撮影された画像であるか否かを判定する撮影機能判定手段を更に有し、
前記処理手段は、前記機能を用いて撮影された画像でないと判定された場合には、前記特定の被写体の位置と大きさに関わらず、前記画像のうちAF枠に基づいて決定される処理対象領域に対して前記所定の処理を施すことを特徴とする請求項１乃至１１のいずれか１項に記載の画像処理装置。
【請求項１３】
複数の画像のそれぞれにおける処理対象領域について前記処理手段によって切り出された画像を、順次切り替えて表示するスライドショー表示を行うように制御する表示制御手段を更に有することを特徴とする請求項１乃至１２のいずれか１項に記載の画像処理装置。
【請求項１４】
前記画像処理装置は、画像を表示可能な表示手段を有する撮像装置であることを特徴とする請求項１乃至１３のいずれか１項に記載の画像処理装置。
【請求項１５】
画像内の特定の被写体の位置と大きさに基づいて、前記画像のうちの一部の領域であり、該特定の被写体の大きさよりも大きい領域である第１の領域を設定する第１の設定ステップと、
前記第１の領域が、前記画像の範囲に収まるか否かを判定する第１の判定ステップと、
前記第１の領域が前記画像の範囲に収まらない場合に、前記第１の領域の位置を前記画像の範囲に収まるように移動した第２の領域を設定する第２の設定ステップと、
前記第２の領域に、前記特定の被写体が収まるか否かを判定する第２の判定ステップと、
前記第２の判定ステップにより、前記第２の領域に前記特定の被写体が収まらないと判定した場合、前記特定の被写体には関わらない条件にて、前記画像のうちの一部の領域である第３の領域を設定する第３の設定ステップと、
前記画像のうち、前記第３の設定ステップで設定された前記第３の領域を処理対象領域として所定の処理を施す処理ステップと
を有することを特徴とする画像処理装置の制御方法。
【請求項１６】
画像内の特定の被写体の位置と大きさに基づいて決定される、前記画像のうちの一部の領域であり、該特定の被写体の大きさよりも大きい領域である第１の領域が、前記画像の範囲に収まる場合には前記第１の領域を処理対象領域に設定し、前記第１の領域が前記画像の範囲に収まらず、前記第１の領域の位置を前記画像の範囲に収まるように移動した第２の領域に前記特定の被写体が収まる場合には前記第２の領域を処理対象領域に設定し、前記第１の領域が前記画像の範囲に収まらず、かつ前記第２の領域に前記特定の被写体が収まらない場合には、前記画像のうちの一部の領域であり、前記特定の被写体の位置と大きさとは異なる条件に基づいて決定される第３の領域を処理対象領域に設定する設定ステップと、
前記画像のうち、前記設定ステップで設定された処理対象領域に対して所定の処理を施す処理ステップと
を有することを特徴とする画像処理装置の制御方法。
【請求項１７】
コンピュータを、請求項１乃至１４のいずれか１項に記載の画像処理装置の各手段として機能させるプログラム。
【請求項１８】
コンピュータを、請求項１乃至１４のいずれか１項に記載の画像処理装置の各手段として機能させるプログラムを格納したコンピュータが読み取り可能な記憶媒体。
【手続補正２】
【補正対象書類名】明細書
【補正対象項目名】発明の名称
【補正方法】変更
【補正の内容】
【発明の名称】画像処理装置及びその制御方法
【手続補正３】
【補正対象書類名】明細書
【補正対象項目名】０００１
【補正方法】変更
【補正の内容】
【０００１】
本発明は画像処理装置及びその制御方法に関する。
【手続補正４】
【補正対象書類名】明細書
【補正対象項目名】０００７
【補正方法】変更
【補正の内容】
【０００７】
しかしながら、前述した特許文献１に記載されている画像表示装置では、表示領域の内側に寄せるように補正したことによって顔の一部が切れてしまい、画像の中の顔を美しく表示できない事態が発生する問題点があった。
本発明は前述の問題点に鑑み、画像の中の被写体に基づく範囲に処理を施す場合に、画像の中の被写体の一部が切れて処理されてしまうのを防止できるようにすることを目的とする。
【手続補正５】
【補正対象書類名】明細書
【補正対象項目名】０００８
【補正方法】変更
【補正の内容】
【０００８】
本発明の画像処理装置は、画像内の特定の被写体の位置と大きさに基づいて、前記画像のうちの一部の領域であり、該特定の被写体の大きさよりも大きい領域である第１の領域を設定する第１の設定手段と、前記第１の領域が、前記画像の範囲に収まるか否かを判定する第１の判定手段と、前記第１の領域が前記画像の範囲に収まらない場合に、前記第１の領域の位置を前記画像の範囲に収まるように移動した第２の領域を設定する第２の設定手段と、前記第２の領域に、前記特定の被写体が収まるか否かを判定する第２の判定手段と、前記第２の判定手段により、前記第２の領域に前記特定の被写体が収まらないと判定した場合、前記特定の被写体には関わらない条件にて、前記画像のうちの一部の領域である第３の領域を設定する第３の設定手段と、前記画像のうち、前記第３の設定手段で設定された前記第３の領域を処理対象領域として所定の処理を施す処理手段とを有することを特徴とする。
【手続補正６】
【補正対象書類名】明細書
【補正対象項目名】０００９
【補正方法】変更
【補正の内容】
【０００９】
本発明によれば、被写体を基準として画像の一部に処理を施す場合に、被写体が欠けて処理されてしまうのを防ぐことができる。